(57)【特許請求の範囲】
【請求項１】
長尺なベルト帯と、前記ベルト帯の先端部が差し入れられるバックルと、前記バックルが取り付けられており前記ベルト帯の後端部に連結される連結帯と、を備えた衣服用ベルトであって、
前記連結帯には、その連結帯の裏面に係止面を向けている係止部材が配設されており、
前記ベルト帯の後端部側の裏面には、前記係止部材の係止面側に係止されるメス型面ファスナーが配設されており、
前記連結帯と前記ベルト帯の後端部側とが重なり合う程度を調整するように、前記係止部材によって前記メス型面ファスナーのループが形成されている面の少なくとも一部が係止されて、前記連結帯と前記係止部材の間に前記ベルト帯の後端部が挟まれた状態で、前記係止部材と前記ベルト帯の後端部を覆うように、前記ベルト帯の長手方向と交差する向きに折り返される折返し片が設けられていることを特徴とする衣服用ベルト。
【請求項２】
長尺なベルト帯と、前記ベルト帯の先端部が差し入れられるバックルと、前記バックルが取り付けられており前記ベルト帯の後端部に連結される連結帯と、を備えた衣服用ベルトであって、
前記連結帯には、その連結帯の裏面に係止面を向けている係止部材が配設されており、
前記ベルト帯の後端部側の裏面には、前記係止部材の係止面側に係止されるメス型面ファスナーが配設されており、
前記係止部材の係止面には、複数の係止部が設けられており、
前記連結帯と前記ベルト帯の後端部側とが重なり合う程度を調整するように、前記係止部材の前記係止部によって前記メス型面ファスナーのループが形成されている面の少なくとも一部が係止されて、前記連結帯と前記係止部材の間に前記ベルト帯の後端部が挟まれた状態で、前記係止部材と前記ベルト帯の後端部を覆うように、前記ベルト帯の長手方向と交差する向きに折り返される折返し片が設けられていることを特徴とする衣服用ベルト。
【請求項３】
前記係止部は、オス型面ファスナーのフック、又は歯状の突起、又は釣り針状部材であることを特徴とする請求項２に記載の衣服用ベルト。
【請求項４】
前記折返し片は、前記連結帯の両側にそれぞれ設けられており、前記係止部材と前記ベルト帯の後端部を覆うように折り返された一方の折返し片に重ねるように他方の折返し片が折り返されるように構成されていることを特徴とする請求項１〜３のいずれか一項に記載の衣服用ベルト。
【請求項５】
前記一方の折返し片における前記他方の折返し片が重ねられる面には止着部材が配設されており、前記他方の折返し片における前記一方の折返し片に重ねる面には前記止着部材に止着される被止着部材が配設されていることを特徴とする請求項４に記載の衣服用ベルト。
【請求項６】
前記折返し片は、前記連結帯の両側にそれぞれ設けられており、前記係止部材と前記ベルト帯の後端部を覆うように折り返された一方の折返し片の端部と他方の折返し片の端部が付き合わされた状態で、その端部同士が結合されるように構成されていることを特徴とする請求項１〜５のいずれか一項に記載の衣服用ベルト。
【請求項７】
前記折返し片は、前記連結帯の両側にそれぞれ設けられており、一方の折返し片には略「日」字形状を呈する美錠が配設されており、前記係止部材と前記ベルト帯の後端部を覆うように折り返された一方の折返し片の前記美錠に他方の折返し片が結着されるように構成されていることを特徴とする請求項１〜５のいずれか一項に記載の衣服用ベルト。
【発明の詳細な説明】
【技術分野】
【０００１】
本発明は、衣服用ベルトに関する。
【背景技術】
【０００２】
スーツのズボン、カジュアルパンツ及びジーパン等（以下、総称して「ズボン」という）を着る場合、ズボンが下がらないようにベルトを着用する。また場合によっては、ベルトによってファッションを強調したりもする。
【０００３】
そして、一般的な衣服用ベルトとしては、長尺なベルト帯の後端部に連結金具によってバックルが連結されているものが知られている（例えば、特許文献１参照。）。
この衣服用ベルトは、ユーザーの腰回りの寸法に応じてベルト帯の後端部をカットして長さ調整したものに連結金具でバックルを連結するようにして、ユーザー自身がベルトのサイズ調整を行うことが可能になっている。
ユーザーの体形に合わせてサイズ調整された衣服用ベルトであれば、ベルト帯を腰に巻いた状態でベルト帯の先端部をバックルに差し入れて、所望する位置で固定することができる。
【先行技術文献】
【特許文献】
【０００４】
【特許文献１】実開昭５３−１３５７２０号公報
【発明の概要】
【発明が解決しようとする課題】
【０００５】
しかしながら、上記特許文献１の衣服用ベルトの場合、ベルト帯に連結金具の係止歯を食い込ませるようにしてバックルを連結しているため、係止歯が食い込んだ部分のベルト帯が損傷してしまうことがあり、その部分の見栄えが悪くなることがあるという問題があった。
【０００６】
本発明の目的は、見栄えのよい衣服用ベルトを提供することである。
【課題を解決するための手段】
【０００７】
以上の課題を解決するため、請求項１に記載の発明は、
長尺なベルト帯と、前記ベルト帯の先端部が差し入れられるバックルと、前記バックルが取り付けられており前記ベルト帯の後端部に連結される連結帯と、を備えた衣服用ベルトであって、
前記連結帯には、その連結帯の裏面に係止面を向けている係止部材が配設されており、
前記ベルト帯の後端部側の裏面には、前記係止部材の係止面側に係止されるメス型面ファスナーが配設されており、
前記連結帯と前記ベルト帯の後端部側とが重なり合う程度を調整するように、前記係止部材によって前記メス型面ファスナーのループが形成されている面の少なくとも一部が係止されて、前記連結帯と前記係止部材の間に前記ベルト帯の後端部が挟まれた状態で、前記係止部材と前記ベルト帯の後端部を覆うように、前記ベルト帯の長手方向と交差する向きに折り返される折返し片が設けられていることを特徴とする。
【００１１】
請求項２に記載の発明は、
長尺なベルト帯と、前記ベルト帯の先端部が差し入れられるバックルと、前記バックルが取り付けられており前記ベルト帯の後端部に連結される連結帯と、を備えた衣服用ベルトであって、
前記連結帯には、その連結帯の裏面に係止面を向けている係止部材が配設されており、
前記ベルト帯の後端部側の裏面には、前記係止部材の係止面側に係止されるメス型面ファスナーが配設されており、
前記係止部材の係止面には、複数の係止部が設けられており、
前記連結帯と前記ベルト帯の後端部側とが重なり合う程度を調整するように、前記係止部材の前記係止部によって前記メス型面ファスナーのループが形成されている面の少なくとも一部が係止されて、前記連結帯と前記係止部材の間に前記ベルト帯の後端部が挟まれた状態で、前記係止部材と前記ベルト帯の後端部を覆うように、前記ベルト帯の長手方向と交差する向きに折り返される折返し片が設けられていることを特徴とする。
【００１２】
請求項３に記載の発明は、請求項２に記載の衣服用ベルトにおいて、
前記係止部は、オス型面ファスナーのフック、又は歯状の突起、又は釣り針状部材であることを特徴とする。
【００１４】
請求項４に記載の発明は、請求項１〜３のいずれか一項に記載の衣服用ベルトにおいて、
前記折返し片は、前記連結帯の両側にそれぞれ設けられており、前記係止部材と前記ベルト帯の後端部を覆うように折り返された一方の折返し片に重ねるように他方の折返し片が折り返されるように構成されていることを特徴とする。
【００１５】
請求項５に記載の発明は、請求項４に記載の衣服用ベルトにおいて、
前記一方の折返し片における前記他方の折返し片が重ねられる面には止着部材が配設されており、前記他方の折返し片における前記一方の折返し片に重ねる面には前記止着部材に止着される被止着部材が配設されていることを特徴とする。
【００１６】
請求項６に記載の発明は、請求項１〜５のいずれか一項に記載の衣服用ベルトにおいて、
前記折返し片は、前記連結帯の両側にそれぞれ設けられており、前記係止部材と前記ベルト帯の後端部を覆うように折り返された一方の折返し片の端部と他方の折返し片の端部が付き合わされた状態で、その端部同士が結合されるように構成されていることを特徴とする。
【００１７】
請求項７に記載の発明は、請求項１〜５のいずれか一項に記載の衣服用ベルトにおいて、
前記折返し片は、前記連結帯の両側にそれぞれ設けられており、一方の折返し片には略「日」字形状を呈する美錠が配設されており、前記係止部材と前記ベルト帯の後端部を覆うように折り返された一方の折返し片の前記美錠に他方の折返し片が結着されるように構成されていることを特徴とする。
【発明の効果】
【００１８】
本発明によれば、見栄えのよい衣服用ベルトが得られる。
【図面の簡単な説明】
【００１９】
【図１】本実施形態の衣服用ベルトを示す正面図である。
【図２】本実施形態の衣服用ベルトを示す側面図である。
【図３】衣服用ベルトのベルト帯と連結帯を分離した状態を示す背面図（ａ）および側面図（ｂ）と、衣服用ベルトのベルト帯と連結帯を連結する手順に関する説明図（ｃ）（ｄ）（ｅ）である。
【図４】衣服用ベルトの変形例を示す背面図である。
【図５】衣服用ベルトの変形例を示す背面図（ａ）および側面図（ｂ）と、その衣服用ベルトにおける係止部材を示す斜視図（ｃ）と、その衣服用ベルトにおけるベルト帯の変形例（ｄ）である。
【図６】衣服用ベルトの変形例を示す背面図（ａ）および側面図（ｂ）と、その衣服用ベルトにおける係止部材を示す斜視図（ｃ）と、その衣服用ベルトにおけるベルト帯の変形例（ｄ）である。
【図７】衣服用ベルトの変形例を示す背面図（ａ）および側面図（ｂ）と、その衣服用ベルトにおける係止部材を示す斜視図（ｃ）と、その衣服用ベルトにおけるベルト帯の変形例（ｄ）である。
【図８】衣服用ベルトの変形例を示す背面図（ａ）（ｂ）である。
【図９】衣服用ベルトの変形例を示す背面図（ａ）（ｂ）（ｃ）である。
【図１０】衣服用ベルトの変形例を示す背面図（ａ）（ｂ）（ｃ）である。
【発明を実施するための形態】
【００２０】
以下、図面を参照して、本発明に係る衣服用ベルトの実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の衣服用ベルトは、ユーザー自身がサイズ調整して使用するベルトであり、ユーザーの腰回りの寸法に応じてベルト帯の後端部をカットして長さを調整したものに、バックルが取り付けられている連結帯を連結して使用するものである。
【００２１】
本実施形態の衣服用ベルト１００は、例えば、図１、図２、図３（ａ）（ｂ）に示すように、長尺なベルト帯１０と、ベルト帯１０の先端部１１（剣先）が差し入れられるバックル２０と、ベルト帯１０の後端部１２に連結される連結帯３０等を備えている。
【００２２】
ベルト帯１０は、例えば、本革製や合成皮革製の帯状部材である。
このベルト帯１０の後端部１２側の裏面には、後述する係止部材４０の係止面側に係止される被係止部材５０が配設されている。
【００２３】
バックル２０は、例えば、ステンレスや真鍮などの金属製の部材であり、ベルトの緩みを防ぐための留め金である。
このバックル２０は、連結帯３０の折り返し部分に取り付けられている。
【００２４】
連結帯３０は、例えば、本革製や合成皮革製の部材であり、一端側３１がベルトの表側に配され、他端側３２がベルトの裏側に配されるように、バックル２０の取り付け箇所にて折り返されている。
この連結帯３０の一端側３１と他端側３２の間に定革６０が取り付けられている。
定革６０は、本革製や合成皮革製の輪状の部材であり、バックル２０に差し入れられたベルト帯１０の先端部１１（剣先）が挿通される留め具である。
【００２５】
また、この連結帯３０には、連結帯３０の一端側３１の裏面に係止面を向けた係止部材４０が配設されている。
具体的には、短冊状の係止部材４０の一端部側が連結帯３０の一端側３１と他端側３２の間に縫着され、係止部材４０の他端部側がバックル２０とは反対側に延在された態様で、係止部材４０が連結帯３０の一端側３１の裏面側に配設されている。
【００２６】
ここでの係止部材４０は、オス型面ファスナーであり、無数のフックが形成されている係止面（Ａ面）を連結帯３０の一端側３１の裏面に向けて配設されている。
一方、ベルト帯１０の後端部１２側の裏面に縫着されている被係止部材５０は、メス型面ファスナーであり、無数のループが形成されている面（Ｂ面）が係止部材４０の係止面（Ａ面）に係止されるようになっている。
そして、係止部材４０によって被係止部材５０が係止され、その係止部材４０にベルト帯１０の後端部１２が係止されるようにして、連結帯３０にベルト帯１０が連結されるようになっている。
【００２７】
また、この連結帯３０には、連結帯３０の一部を成している一対の折返し片３３，３４が設けられている。
一対の折返し片３３，３４は、連結帯３０の一端側３１の両側の一部が、その幅方向に延設された態様に形成されている。
この折返し片３３，３４は、連結帯３０に連結されたベルト帯１０の後端部１２を覆うように折り返される端片である。
具体的には、連結帯３０に連結されたベルト帯１０の後端部１２を覆うように、一方の折返し片３３が折り返され、その一方の折返し片３３に重ねるように、他方の折返し片３４が折り返されるようになっている。
つまり、連結帯３０の一端側３１の両側に設けられている一対の折返し片３３，３４は、連結帯３０に連結されたベルト帯１０を両側から覆うように折り返される。
【００２８】
そして、一方の折返し片３３における他方の折返し片３４が重ねられる面には止着部材７０が配設されており、他方の折返し片３４における一方の折返し片３３に重ねる面には止着部材７０に止着される被止着部材８０が配設されている。
ここでの止着部材７０はメス型面ファスナーであり、被止着部材８０はオス型面ファスナーである。
【００２９】
次に、衣服用ベルト１００のベルト帯１０と連結帯３０を連結する手順について説明する。
【００３０】
まず、ユーザーの腰回りの寸法に応じてベルト帯１０の後端部１２側をカットして長さ調整する。
例えば当初、ベルト帯１０は１００ｃｍ〜１１０ｃｍの長さを有しており、そのベルト帯１０の後端部１２側の裏面に３０ｃｍ〜４０ｃｍの長さの被係止部材５０（メス型面ファスナー）が縫着されている。
このベルト帯１０の後端部１２側をハサミなどでカットして、所望する長さのベルト帯１０にする。なお、図３（ａ）（ｂ）に示すベルト帯１０は、ユーザーの所望する長さにカットされたものである。
【００３１】
次いで、図３（ｃ）に示すように、係止部材４０でベルト帯１０の後端部１２の被係止部材５０を係止するようにして、連結帯３０にベルト帯１０を連結させる。
このとき、連結帯３０（一端側３１）と係止部材４０の間にベルト帯１０の後端部１２が挟まれるように、ベルト帯１０の後端部１２の端（切断面）をバックル２０側にできるだけ寄せて、係止部材４０に被係止部材５０を係止させることが好ましい。
また、係止部材４０（オス型面ファスナー）は、ベルト帯１０の長手方向に１０ｃｍ程度の長さを有していることが好ましい。
【００３２】
次いで、図３（ｄ）に示すように、連結帯３０と係止部材４０の間にベルト帯１０の後端部１２が挟まれた状態で、係止部材４０とその係止部材４０に係止されたベルト帯１０の後端部１２を覆うように、一方の折返し片３３をベルト帯１０の長手方向と交差する向きに折り返す。
次いで、図３（ｅ）に示すように、係止部材４０とベルト帯１０の後端部１２を覆うように折り返された一方の折返し片３３に重ねるように他方の折返し片３４をベルト帯１０の長手方向と交差する向きに折り返して、止着部材７０と被止着部材８０を止着させる。
こうして、連結帯３０に連結されたベルト帯１０を両側から覆うように、一対の折返し片３３，３４を折り返して止着することで、連結帯３０とベルト帯１０の連結をより強固なものにすることができる。
【００３３】
このように、本実施形態の衣服用ベルト１００は、係止部材４０によってベルト帯１０の後端部１２の被係止部材５０を係止するようにして、連結帯３０にベルト帯１０を連結した後、連結帯３０に連結されたベルト帯１０を両側から覆うように一対の折返し片３３，３４を折り返して、その連結を補強しているので、ベルト帯１０と連結帯３０の連結が外れてしまうことはなく、衣服用ベルト１００を好適に使用することができる。
【００３４】
特に、この衣服用ベルト１００では、ベルト帯１０や連結帯３０（折返し片３３，３４）を重ね合わせる態様の連結様式を採用しているため、従来技術の衣服用ベルトのように、連結金具（係止歯）によってベルト帯を損傷させるようなことはないので、見栄えよく使用することができる。
また、この衣服用ベルト１００では、皮革製のベルト帯１０と連結帯３０を連結しており、従来技術の衣服用ベルトのような連結金具を用いていないので、金属製の連結金具が悪目立ちすることなく、見栄えよく使用することができる。
【００３５】
なお、本発明は上記実施形態に限られるものではない。
以下に図４から図１０を用いて、衣服用ベルト１００の変形例を説明する。
【００３６】
例えば、図４に示すように、一方の折返し片３３における他方の折返し片３４が重ねられる面に配設されている止着部材７０がメス型スナップボタンであり、他方の折返し片３４における一方の折返し片３３に重ねる面に配設されている被止着部材８０がオス型スナップボタンである衣服用ベルト１００であってもよい。
このような衣服用ベルト１００であっても、連結帯３０に連結されたベルト帯１０を両側から覆うように、一対の折返し片３３，３４を折り返して止着することができ、連結帯３０とベルト帯１０の連結をより強固にすることができる。
なお、止着部材７０がオス型スナップボタンで、被止着部材８０がメス型スナップボタンであってもよい。
【００３７】
また、図５（ａ）（ｂ）（ｃ）に示すように、係止部材４０がその係止面に歯状の突起が複数形成されている薄板（ここでは、おろし金状の複数の突起（歯）が形成されている薄板）であり、被係止部材５０がメス型面ファスナーである衣服用ベルト１００であってもよい。
なお、この係止部材４０の係止面に形成されている歯状の突起は後述する係止部４０ａとして機能する。
係止部材４０としての薄板は、例えば、金属製の部材である。この係止部材４０の取付片４１が連結帯３０他端側３２に結着されている。
このような係止部材４０と被係止部材５０であっても、係止部材４０によってベルト帯１０の後端部１２の被係止部材５０を係止するようにして、連結帯３０にベルト帯１０を連結することができる。
【００３８】
また、図５（ｄ）に示すように、係止面におろし金状に複数の歯状の係止部４０ａが形成されている係止部材４０であれば、その係止部４０ａをベルト帯１０の後端部１２側の裏面に食い込ませて、ベルト帯１０を係止することができるので、ベルト帯１０の裏面に被係止部材５０を配設しなくてもよい。
つまり、係止部４０ａをベルト帯１０の後端部１２側の裏面に食い込ませた係止部材４０によってベルト帯１０を係止し、連結帯３０と係止部材４０の間にベルト帯１０の後端部１２が挟まれた状態で、その係止部材４０とベルト帯１０の後端部１２を覆うように、一対の折返し片３３，３４を折り返すようにして、連結帯３０にベルト帯１０を連結することができる。
このような衣服用ベルト１００であっても、連結帯３０に連結されたベルト帯１０を両側から覆うように、一対の折返し片３３，３４を折り返すことによって、連結帯３０とベルト帯１０の連結をより強固にすることができる。
【００３９】
また、図６（ａ）（ｂ）（ｃ）に示すように、係止部材４０がその係止面に歯状の突起が複数形成されている薄板（ここでは、鋸状の複数の歯が形成されている薄板）であり、被係止部材５０がメス型面ファスナーである衣服用ベルト１００であってもよい。
なお、この係止部材４０の係止面の縁に形成されている歯状の突起は後述する係止部４０ａとして機能する。
係止部材４０としての薄板は、例えば、金属製の部材である。この係止部材４０の取付片４１が連結帯３０他端側３２に結着されている。
このような係止部材４０と被係止部材５０であっても、係止部材４０によってベルト帯１０の後端部１２の被係止部材５０を係止するようにして、連結帯３０にベルト帯１０を連結することができる。
【００４０】
また、図６（ｄ）に示すように、係止面に鋸状に複数の歯状の係止部４０ａが形成されている係止部材４０であれば、その係止部４０ａをベルト帯１０の後端部１２側の裏面に食い込ませて、ベルト帯１０を係止することができるので、ベルト帯１０の裏面に被係止部材５０を配設しなくてもよい。
つまり、係止部４０ａをベルト帯１０の後端部１２側の裏面に食い込ませた係止部材４０によってベルト帯１０を係止し、連結帯３０と係止部材４０の間にベルト帯１０の後端部１２が挟まれた状態で、その係止部材４０とベルト帯１０の後端部１２を覆うように、一対の折返し片３３，３４を折り返すようにして、連結帯３０にベルト帯１０を連結することができる。
このような衣服用ベルト１００であっても、連結帯３０に連結されたベルト帯１０を両側から覆うように、一対の折返し片３３，３４を折り返すことによって、連結帯３０とベルト帯１０の連結をより強固にすることができる。
【００４１】
また、図７（ａ）（ｂ）（ｃ）に示すように、係止部材４０がその係止面に針先を並べるように複数の釣り針状部材が設けられている薄板であり、被係止部材５０がメス型面ファスナーである衣服用ベルト１００であってもよい。
なお、この係止部材４０の係止面に配設されている釣り針状部材は後述する係止部４０ａとして機能する。
係止部材４０としての薄板および釣り針状部材（係止部４０）は、例えば、金属製の部材である。この係止部材４０の取付片４１が連結帯３０他端側３２に結着されている。
このような係止部材４０と被係止部材５０であっても、係止部材４０によってベルト帯１０の後端部１２の被係止部材５０を係止するようにして、連結帯３０にベルト帯１０を連結することができる。
【００４２】
また、図７（ｄ）に示すように、係止面に釣り針状の係止部４０ａが複数配設されている係止部材４０であれば、その係止部４０ａをベルト帯１０の後端部１２側の裏面に食い込ませて、ベルト帯１０を係止することができるので、ベルト帯１０の裏面に被係止部材５０を配設しなくてもよい。
つまり、係止部４０ａをベルト帯１０の後端部１２側の裏面に食い込ませた係止部材４０によってベルト帯１０を係止し、連結帯３０と係止部材４０の間にベルト帯１０の後端部１２が挟まれた状態で、その係止部材４０とベルト帯１０の後端部１２を覆うように、一対の折返し片３３，３４を折り返すようにして、連結帯３０にベルト帯１０を連結することができる。
このような衣服用ベルト１００であっても、連結帯３０に連結されたベルト帯１０を両側から覆うように、一対の折返し片３３，３４を折り返すことによって、連結帯３０とベルト帯１０の連結をより強固にすることができる。
【００４３】
また、図８（ａ）（ｂ）に示すように、連結帯３０の両側に設けられている一対の折返し片３３，３４が、係止部材４０とベルト帯１０の後端部１２を覆うように折り返されて、一方の折返し片３３の端部と他方の折返し片３４の端部が付き合わされた状態で、その端部同士が結合されるように構成されている衣服用ベルト１００であってもよい。
具体的には、一対の折返し片３３，３４の端部には、例えばスライドファスナーである結合部材９０が設けられており、一対の折返し片３３，３４の端部同士を結合することを可能にしている。
このような衣服用ベルト１００であっても、連結帯３０に連結されたベルト帯１０を両側から覆うように、一対の折返し片３３，３４を折り返して結合部材９０にて結合することによって、連結帯３０とベルト帯１０の連結をより強固にすることができる。
なお、結合部材９０はスライドファスナーであることに限らず、例えばフックとホックであってもよい。一方の折返し片３３の端部にフックが配設され、他方の折返し片３４の端部にホックが配設されていれば、一方の折返し片３３の端部と他方の折返し片３４の端部を付き合わせて、その端部同士を結合することができる。
【００４４】
また、図９（ａ）（ｂ）（ｃ）、図１０（ａ）（ｂ）（ｃ）に示すように、連結帯３０に設けられている一方の折返し片３３には略「日」字形状を呈する美錠３５が配設されており、係止部材４０とベルト帯１０の後端部１２を覆うように折り返された一方の折返し片３３の美錠３５に他方の折返し片３４が結着されるように構成されている衣服用ベルト１００であってもよい。
この衣服用ベルト１００の折返し片３３，３４には、例えば、グログランテープを用いることができる。グログランテープからなる折返し片３３，３４は、連結帯３０の両側に縫着されている。
また、略「日」字形状を呈する美錠３５は、例えば金属製の部材であり、中央側の渡し金と、その両側（外側）の渡し金を有している。
【００４５】
図９（ａ）（ｂ）（ｃ）に示す衣服用ベルト１００では、美錠３５の一方の外側の渡し金に一方の折返し片３３が取り付けられている。
この場合、図９（ｃ）に示すように、他方の折返し片３４を、美錠３５の中央側の渡し金にて折り返し、他方の外側の渡し金の下を通すように結着するようにする。
このような衣服用ベルト１００であっても、連結帯３０に連結されたベルト帯１０を両側から覆うように一対の折返し片３３，３４を折り返して、一方の折返し片３３の美錠３５に他方の折返し片３４を結着することによって、連結帯３０とベルト帯１０の連結をより強固にすることができる。
【００４６】
また、図１０（ａ）（ｂ）（ｃ）に示す衣服用ベルト１００では、美錠３５の中央側の渡し金に一方の折返し片３３が取り付けられている。
この場合、図１０（ｃ）に示すように、他方の折返し片３４を、美錠３５の一方の外側の渡し金にて折り返し、他方の外側の渡し金の下を通すように結着するようにする。
このような衣服用ベルト１００であっても、連結帯３０に連結されたベルト帯１０を両側から覆うように一対の折返し片３３，３４を折り返して、一方の折返し片３３の美錠３５に他方の折返し片３４を結着することによって、連結帯３０とベルト帯１０の連結をより強固にすることができる。
【００４７】
以上のように、本実施形態の衣服用ベルト１００であれば、連結帯３０にベルト帯１０を連結した後、連結帯３０に連結されたベルト帯１０を両側から覆うように一対の折返し片３３，３４を折り返して、その連結を補強しているので、ベルト帯１０と連結帯３０の連結が外れてしまうことはなく、衣服用ベルト１００を好適に使用することができる。
【００４８】
なお、本発明の適用は上述した実施形態に限定されることなく、本発明の趣旨を逸脱しない範囲で適宜変更可能である。
例えば、衣服用ベルト１００における係止部材４０と一対の折返し片３３，３４の組み合わせは任意であり、上述した図示例に限定されない。
【符号の説明】
【００４９】
１０    ベルト帯
１１    先端部
１２    後端部
２０    バックル
３０    連結帯
３１    一端側
３２    他端側
３３    一方の折返し片
３４    他方の折返し片
３５    美錠
４０    係止部材
４０ａ  係止部
５０    被係止部材
６０    定革
７０    止着部材
８０    被止着部材
９０    結合部材
１００  衣服用ベルト
【要約】      （修正有）【課題】見栄えのよい衣服用ベルトを提供する。【解決手段】衣服用ベルト１００は、長尺なベルト帯１０と、ベルト帯の先端部１１が差し入れられるバックル２０と、バックルが取り付けられており、ベルト帯の後端部１２に連結される連結帯３０と、を備えており、連結帯には、その連結帯の裏面に係止面を向けている係止部材４０が配設されており、ベルト帯の後端部側の裏面には、係止部材の係止面側に係止される被係止部材５０が配設されており、係止部材によって被係止部材が係止されて、連結帯と係止部材の間にベルト帯の後端部が挟まれた状態で、係止部材とベルト帯の後端部を覆うように、ベルト帯の長手方向と交差する向きに折り返される折返し片３３，３４が設けられている。【選択図】図３【図１】
0006687209.tif 000002
【図２】
0006687209.tif 000003
【図３】
0006687209.tif 000004
【図４】
0006687209.tif 000005
【図５】
0006687209.tif 000006
【図６】
0006687209.tif 000007
【図７】
0006687209.tif 000008
【図８】
0006687209.tif 000009
【図９】
0006687209.tif 000010
【図１０】
0006687209.tif 000011